(57)【要約】      （修正有）【課題】狭い空間でも使用でき、携帯、包装、輸送に便利な鉗子を提供する。【解決手段】第一アームと、第二アームと、第二挟持部５とを含んでなり、第一アームが、上方に第一挟持部３を接続して設けてなり、第二アームが、第一挟持部と枢接し、内部に設置空間を形成して延伸桿４を隠すように収納し、第二挟持部が、底部に挿接部４１を形成し、該挿接部が第二アーム上端に形成された挿接溝２２に挿接して設けられて鉗子を形成し、該挿接部の内部に溝と柱体を設けてなり、延伸桿を引っ張った後、第一端縁部３１を第二アームの上端に設け、第二挟持部が溝と柱体で延伸桿上の位置を調整して位置決めすることができる。【選択図】図２
0003163903.tif 000002
【実用新案登録請求の範囲】
【請求項１】
第一アームと、第二アームと、第二挟持部とを含んでなり、
該第一アームが、上方に第一挟持部を接続して設けてなり、
該第二アームが、第一挟持部と枢接し、内部に設置空間を形成して延伸桿を隠すように収納し、
該第二挟持部が、底部に挿接部を形成し、該挿接部が第二アーム上端に形成された挿接溝に挿接して設けられて鉗子を形成し、該挿接部の内部に溝と柱体を設けてなり、延伸桿を引っ張った後、第一端縁部を第二アームの上端に設け、第二挟持部が溝と柱体で延伸桿上の位置を調整して位置決めすることを特徴とする鉗子。
【請求項２】
前記延伸桿が、第二端縁部の側面にフック部を設けてなり、該フック部が第二挟持部の柱体に掛合されることを特徴とする請求項１に記載の鉗子。
【請求項３】
前記第二アームの側面には延伸桿の厚さと略同じ厚さを具えた凹部が形成され、延伸桿を引っ張り出す場合、凹部の位置に沿って延伸させることを特徴とする請求項１に記載の鉗子。
【請求項４】
前記第二アームの側面には四方を囲うように孔を設けて、鉗子を形成する場合、第二挟持部と延伸桿とを上方に引き上げて第二アームから引き出し、延伸桿の第一端縁部を第二アームの孔に向けて挿入して組み合わせることを特徴とする請求項１に記載の鉗子。
【請求項５】
前記溝の幅が、延伸桿の厚さと略同じであって、第二アームの挿接溝の幅が、挿接部と略同じで、第二アームの両側に対向して設けられた第二挟持部の挿接部の斜辺が二つの斜部を押圧し、該斜部が挿接溝の開口を閉じて挿接部の挿接を安定させることを特徴とする請求項１に記載の鉗子。
【請求項６】
前記第二アームが、内部の設置空間内に設けられ、Ｕ字状を呈し連動桿が延伸して設けられ、該連動の中空な内部により、延伸桿の移動が制限され、第二アームの底端には調整桿が設けられ、該調整桿がＵ字状の当接片を押圧し、該当接片が連動桿に当接し、Ｕ字状の当接片の中空の内部がする延伸桿の動きを制限することを特徴とする請求項１に記載の鉗子。
【請求項７】
前記枢接部に設けられた第一挟持部が、下方向に凹溝を設けてなり、凹溝が延伸桿の第一端縁部に嵌合し、延伸桿に向けて枢接し、延伸桿が第二アームの凹部の底端縁部に対応して溝を設けてなり、延伸桿を固定することを特徴とする請求項１に記載の鉗子。
【請求項８】
前記第二挟持部の溝が、第一挟持部に向けて次第に開いていく斜度を具えた溝が設けられ、延伸桿に対応する柱体には波上の複数の位置決め弧状溝が設けられ、位置決め弧状溝で第二挟持部を位置決めすることを特徴とする請求項１に記載の鉗子。
【考案の詳細な説明】
【技術分野】
【０００１】
この考案は、鉗子であって、特に物を掴んだり、牽引するために使用する鉗子に関する。
【背景技術】
【０００２】
図１１は、従来の鉗子を示したものである。
【０００３】
図面によれば、従来の鉗子は、第一アーム１と、第二アーム２とを含んでなる。
【０００４】
該第一アーム１上には一体に第一挟持部３が形成され、第二アーム２は第一アーム１と回動自在に接続する。
【０００５】
比較的大きな挟持空間を設けるため、第二アーム２の枢接端を固定接続して第一挟持部３から離れる方向に延伸桿４をリベット固定する。
【０００６】
延伸桿４上を滑動させて第二挟持部５を設ける。
【０００７】
第二挟持部５が延伸桿４上を滑動して位置を調整するため、挟持空間を変化、或いは広くすることができる。
【０００８】
しかしながら、上述の従来の鉗子は、延伸桿４が第二アーム２上に固定され、第一挟持部３から離れる方向に外方向に向けて延伸するため、挟持空間を広くすることができるが、携帯、包装、運送上不便である。
【０００９】
また、従来の鉗子は、延伸桿４の偏った位置に固定接続される。
【００１０】
このため、鉗子の操作を機敏に実施することが制限され、比較的狭い環境で使用する場合、従来の鉗子を使用することができないため、２種類の鉗子を準備しなければならず、実用的でない。
【考案の開示】
【考案が解決しようとする課題】
【００１１】
この考案は、狭い空間でも使用でき、携帯、包装、輸送に便利な鉗子を提供することを課題とする。
【課題を解決するための手段】
【００１２】
そこで、本考案者は従来の技術に見られる欠点に鑑みて鋭意研究を重ねた結果、
第一アームと、第二アームと、第二挟持部とを含んでなり、
該第一アームが、上方に第一挟持部を接続して設けてなり、
該第二アームが、第一挟持部と枢接し、内部に設置空間を形成して延伸桿を隠すように収納し、
該第二挟持部が、底部に挿接部を形成し、該挿接部が第二アーム上端に形成された挿接溝に挿接して設けられて鉗子を形成し、該挿接部の内部に溝と柱体を設けてなり、延伸桿を引っ張った後、第一端縁部を第二アームの上端に設け、第二挟持部が溝と柱体で延伸桿上の位置を調整して位置決めすることができる鉗子によって課題を解決できる点に着眼し、かかる知見に基づいて本考案を完成させた。
【００１３】
以下、この考案について具体的に説明する。
請求項１に記載する鉗子は、第一アームと、第二アームと、第二挟持部とを含んでなり、
該第一アームが、上方に第一挟持部を接続して設けてなり、
該第二アームが、第一挟持部と枢接し、内部に設置空間を形成して延伸桿を隠すように収納し、
該第二挟持部が、底部に挿接部を形成し、該挿接部が第二アーム上端に形成された挿接溝に挿接して設けられて鉗子を形成し、該挿接部の内部に溝と柱体を設けてなり、延伸桿を引っ張った後、第一端縁部を第二アームの上端に設け、第二挟持部が溝と柱体で延伸桿上の位置を調整して位置決めすることができる。
【００１４】
請求項２に記載の鉗子は、請求項１における延伸桿が、第二端縁部の側面にフック部を設けてなり、該フック部が第二挟持部の柱体に掛合される。
【００１５】
請求項３に記載の鉗子は、請求項１における第二アームの側面には延伸桿の厚さと略同じ厚さを具えた凹部が形成され、延伸桿を引っ張り出す場合、凹部の位置に沿って延伸させることができる構造からなる。
【００１６】
請求項４に記載の鉗子は、請求項１における第二アームの側面には四方を囲うように孔を設けて、鉗子を形成する場合、第二挟持部と延伸桿とを上方に引き上げて第二アームから引き出し、延伸桿の第一端縁部を第二アームの孔に向けて挿入して組み合わせる。
【００１７】
請求項５に記載の鉗子は、請求項１における溝の幅が、延伸桿の厚さと略同じであって、第二アームの挿接溝の幅が、挿接部と略同じで、第二アームの両側に対向して設けられた第二挟持部の挿接部の斜辺が二つの斜部を押圧し、該二つの斜辺が二つの斜部を押圧し、斜部が挿接溝の開口を閉じて挿接部の挿接を安定させる。
【００１８】
請求項６に記載の鉗子は、請求項１における第二アームが、内部の設置空間内に設けられ、Ｕ字状を呈し連動桿が延伸して設けられ、該連動の中空な内部により、延伸桿の移動が制限され、第二アームの底端には調整桿が設けられ、該調整桿がＵ字状の当接片を押圧し、該当接片が連動桿に当接し、Ｕ字状の当接片の中空の内部がする延伸桿の動きを制限する構造からなる。
【００１９】
請求項７に記載の鉗子は、請求項１における枢接部に設けられた第一挟持部が、下方向に凹溝を設けてなり、凹溝が延伸桿の第一端縁部に嵌合し、延伸桿に向けて枢接し、延伸桿が第二アームの凹部の底端縁部に対応して溝を設けてなり、延伸桿を確実に固定する。
【００２０】
請求項８に記載の鉗子は、請求項１における第二挟持部の溝が、第一挟持部に向けて次第に開いていく斜度を具えた溝が設けられ、延伸桿に対応する柱体には波上の複数の位置決め弧状溝が設けられ、位置決め弧状溝で第二挟持部の位置決めをさらに確実に位置決めすることができる。
【考案の効果】
【００２１】
この考案の鉗子は、厚さを調整できて実用的であるとともに、携帯、包装などにも便利であるという効果を有する。
【考案を実施するための形態】
【００２２】
この考案は、狭い空間でも使用でき、携帯、包装、輸送に便利な鉗子であって、第一アームと、第二アームと、第二挟持部とを含んでなり、
該第一アームが、上方に第一挟持部を接続して設けてなり、
該第二アームが、第一挟持部と枢接し、内部に設置空間を形成して延伸桿を隠すように収納し、
該第二挟持部が、底部に挿接部を形成し、該挿接部が第二アーム上端に形成された挿接溝に挿接して設けられて鉗子を形成し、該挿接部の内部に溝と柱体を設けてなり、延伸桿を引っ張った後、第一端縁部を第二アームの上端に設け、第二挟持部が溝と柱体で延伸桿上の位置を調整して位置決めすることができる鉗子の構造と特徴を詳述するために具体的な実施例を挙げ、図示を参照にして以下に説明する。
【実施例】
【００２３】
図１、図２は、この考案の鉗子を示した平面図と、断面図を示したものである。
【００２４】
図面によれば、この考案の鉗子は、第一アーム１０と、第二アーム２０と、第二挟持部４０とを含んでなる。
【００２５】
第一アーム１０は、上方に第一挟持部１１を接続する。
【００２６】
第二アーム２０は、第一挟持部１１と回動自在に接続する。該第二アーム２０の内部には設置空間２１が形成され、延伸桿３０を見えないように収納することができる。
【００２７】
第二挟持部４０は、底部に挿接部４１を具えてなる。
【００２８】
該挿接部４１は、第二アーム２０の上端に形成された挿接溝２２内に挿接して設けられ、鉗子が形成される。
【００２９】
該挿接部４１（図６参照）は、内側に溝４１１及び柱体４１２を設けてなる。
【００３０】
延伸桿３０を引っ張り出した後、第一端縁部３１を第二アーム２０の上端に設ける。
【００３１】
第二挟持部４０は溝４１１と柱体４１２で延伸桿３０上の位置を調整して位置決めして、鉗子の挟持空間を広げることができる。
【００３２】
延伸桿３０は第二端縁部３２の側面にフック部３３を設けてなる。
【００３３】
該フック部３３は、第二挟持部４０の柱体４１２に掛合される。
【００３４】
図３に開示するように、第二アーム２０の側面には延伸桿３０の厚さと略同じ厚さを具えた凹部２３が設けられ、延伸桿３０（図２参照）を引っ張り出す場合、該凹部２３の位置に沿って延伸させることができる。
【００３５】
図４に開示するように、挿接部４１は、溝４１１と、柱体４１２とを設けてなる。
【００３６】
該溝４１１の広さは延伸桿３０の厚さと略同じに形成される。第二アーム２０の挿接溝２２の広さは挿接部４１の厚さと略同じに形成される。
【００３７】
第二アーム２０の両側に対向して設けられた第二挟持部４０（図２参照）の挿接部４１の斜辺４１３が二つの斜部２４を押圧する。
【００３８】
該斜部２４は挿接溝２２の開口を閉じて挿接部４１が安定して確実に挿接させることができる。
【００３９】
図５に開示するように、第二アーム２０は内部に設置空間２１を設けてなり、設置空間２１内にはＵ字状の連動桿５０が延伸して設けられる。
【００４０】
該連動桿５０の中空の内部により、延伸桿３０が制限される。
【００４１】
第二アーム２０の底端には調整桿６０が設けられる。該調整桿６０はＵ字状の当接片６１を押し圧する。
【００４２】
該当接片６１は連動桿５０に当接し、当接片６１のＵ字状の中空の内部で延伸桿３０を制限することができる。
【００４３】
図６に開示するように、第二挟持部４０を上方に引き上げる場合、延伸桿３０のフック部３３が柱体４１２に掛合される。
【００４４】
このため、第二挟持部４０、柱体４１２が連動して延伸桿３０を共に上方に引き上げる。
【００４５】
図７、図８に開示するように、第一挟持部１１が枢接点に延伸桿３０に向けて下方向に凹溝１１１を設けてなる。
【００４６】
該凹溝１１１は、延伸桿３０の第一端縁部３１に嵌合する。
【００４７】
延伸桿３０が第二アーム２０の凹部２３の底端縁部に対応して溝３４を設けてなり、底端縁部を確実に固定する。
【００４８】
凹溝１１１が第一端縁部３１を嵌合して延伸桿３０を安定して延伸させることができる。
【００４９】
第二挟持部４０の溝４１１が第一挟持部１１に向けて次第に斜度を広げているため、滑動して移動しやすく、挟持する場合、挟持して固定、位置決めすることができる。
【００５０】
延伸桿３０に対応する柱体４１２には波状の複数の位置決め弧状溝３５が設けられる。
【００５１】
該位置決め弧状溝３５で第二挟持部４０の位置決めをさらに確実にすることができる。
【００５２】
該鉗子は挟持空間を広げることができる鉗子を形成する。
【００５３】
図９に開示するように、第二挟持部４０の溝４１１は延伸桿３０のフック部３３の位置に調整すると、第二挟持部４０を簡単に上方に引き上げることができる。
【００５４】
柱体４１２が延伸桿３０を引き上げて回転させて垂直にする。
【００５５】
延伸桿３０を第二アーム２０の設置空間２１内に沿って移動させると、第二挟持部４０が第二アーム２０の方向に沿ってスムーズに移動する。
【００５６】
よって、延伸桿３０が設置空間２１内に隠れるように挿入され、第二挟持部４０の挿接部４１が第二アーム２０の挿接溝２２に挿接して固定され、再度鉗子が形成される。
【００５７】
図１０、図１０Ａに開示するように、第二アーム２０の凹部２３（図３参照）には凹部２３を設けなくてもよく、直接孔２５を設けてもよい。
【００５８】
鉗子の挟持空間を広げる場合には、第二挟持部４０と延伸桿３０を上方に引き上げて第二アーム２０から引き出し、延伸桿３０の第一端縁部３１を第二アーム２０の孔２５に挿入して組み合わせて挟持空間を広げることができる。
【００５９】
また、孔２５が延伸桿３０の四方向を囲うため接続がさらに安定される。
【００６０】
一方、引き出した延伸桿３０の第一端縁部３１は孔２５からはずして延伸桿３０と第二挟持部４０を上方から第二アーム２０の設置空間２１に向けて挿入して組み合わせると、再び鉗子を形成することができる。
【００６１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６２】
【図１】この考案の鉗子を示した平面図である。
【図２】この考案の鉗子を示した断面図である。
【図３】図２の鉗子を３の方向から切断した状態を示した断面図である。
【図４】図２の鉗子を４−４の方向で切断した状態を示した断面図である。
【図５】図２の鉗子を５−５の方向で切断した状態を示した断面図である。
【図６】この考案の鉗子の延伸桿を引き出す状態を示した説明図である。
【図７】この考案の鉗子の挟持空間を広げる状態を示した説明図である。
【図８】図７に開示する鉗子を８−８で切断した状態を示した断面図である。
【図９】この考案の鉗子の延伸桿を回転して隠すように収納する状態を示した説明図である。
【図１０】この考案の鉗子の延伸桿を取り出して組み合わせる他の実施形態を示した説明図である。
【図１０Ａ】図１０に開示する鉗子のＡ方向を示した局部拡大図である。
【図１１】従来の鉗子を示した説明図である。
【符号の説明】
【００６３】
１       第一アーム
２       第二アーム
３       第一挟持部
４       延伸桿
５       第二挟持部
１０     第一アーム
１１     第一挟持部
１１１   凹溝
２０     第二アーム
２１     設置空間
２２     挿接溝
２３     凹部
２４     斜部
２５     孔
３０     延伸桿
３１     第一端縁部
３２     第二端縁部
３３     フック部
３４     溝
３５     弧状溝
４０     第二挟持部
４１     挿接部
４１１   溝
４１２   柱体
４１３   斜辺
５０     連動桿
６０     調整桿
６１     当接片
【図１】
0003163903.tif 000003
【図２】
0003163903.tif 000004
【図３】
0003163903.tif 000005
【図４】
0003163903.tif 000006
【図５】
0003163903.tif 000007
【図６】
0003163903.tif 000008
【図７】
0003163903.tif 000009
【図８】
0003163903.tif 000010
【図９】
0003163903.tif 000011
【図１０】
0003163903.tif 000012
【図１０Ａ】
0003163903.tif 000013
【図１１】
0003163903.tif 000014